(57)【要約】      （修正有）【課題】フォトマスクのテストパターンイメージから印刷されたテストフィーチャーを用いるフォトリソグラフィ工程における焦点変化を測定するシステム及び方法を提供する。【解決手段】リソグラフィ工程の間露光装備の最適焦点からの焦点誤差のサイズ及び方向を決定するため測定及び分析できる最小線幅を有する印刷パターンに適したテストフィーチャーＴ１，Ｔ２を有するフォトマスクを用いてリソグラフィ工程において焦点変化を測定する。実験的に、又はコンピュータシミュレーションを通じたモデルを立てて印刷されたＣＤ差及び焦点変化との相関関係を立てることができ、フォトリソグラフィシステムにおける最適焦点を決定できる。【選択図】図１２Ａ
2006303498.tif 000002
【特許請求の範囲】
【請求項１】
第１の印刷テストフィーチャー及び第２の印刷フィーチャーを含む印刷テストパターンを含むフォトレジストパターンが形成された半導体ウェーハを得、
前記第１の印刷テストフィーチャーの印刷最小線幅ＣＤ１及び前記第２の印刷テストフィーチャーの印刷最小線幅ＣＤ２を決定し、
前記印刷最小線幅ＣＤ１、ＣＤ２の間の相対的なＣＤ差を決定し、
前記決定された相対的なＣＤ差に基づいてリソグラフィ工程についての最適焦点設定からの焦点誤差のサイズ及び方向を決定することを含むことを特徴とするリソグラフィ工程の焦点測定方法。
【請求項２】
焦点誤差条件を補正するため露光装備の焦点設定を自動に調整することをさらに含むことを特徴とする請求項１に記載のリソグラフィ工程の焦点測定方法。
【請求項３】
前記印刷テストパターンは、焦点誤差のサイズ及び前記相対的なＣＤ差の間に線形的な関係が存在するように形成されることを特徴とする請求項１に記載のリソグラフィ工程の焦点測定方法。
【請求項４】
焦点設定は、前記相対ＣＤ差が約０に決定されるとき、前記最適焦点設定にあるものとすることを特徴とする請求項３に記載のリソグラフィ工程の焦点測定方法。
【請求項５】
該当される焦点−露光マトリックスデータを用いて焦点誤差及び相対的なＣＤ差の間の線形的な関係を定量化するリソグラフィ工程モデルを立てることを含むことを特徴とする請求項３に記載のリソグラフィ工程の焦点測定方法。
【請求項６】
前記印刷最小線幅ＣＤ１、ＣＤ２は、自動に決定されることを含むことを特徴とする請求項１に記載のリソグラフィ工程の焦点測定方法。
【請求項７】
半導体ウェーハを得る段階は、
半導体ウェーハ上に形成されたフォトレジスト層でフォトマスクのマスクパターンイメージを印刷する段階を含み、
前記マスクパターンは、少なくとも一つのパターンサイズが目標ＣＤと同一なように形成された第１のテストフィーチャー及び第２のテストフィーチャーを含むマスクテストパターンを含むことを特徴とする請求項１に記載のリソグラフィ工程の焦点測定方法。
【請求項８】
前記第１のテストフィーチャー及び前記第２のテストフィーチャーは、全焦点ＣＤ特性を有する第１の印刷テストフィーチャー及び第２の印刷テストフィーチャーを形成するように製造され、
前記全焦点ＣＤ特性は、最適焦点位置についてサイズは同じで方向は反対になるように移動されたそれぞれの第１の焦点−露光曲線及び第２の焦点−露光曲線を作り出し、最適焦点位置において実質的に鏡像であることを特徴とする請求項７に記載のリソグラフィ工程の焦点測定方法。
【請求項９】
前記第１の印刷テストフィーチャー及び前記第２の印刷テストフィーチャーは、フィーチャーＰほど分離された長棒要素であり、
前記印刷最小線幅ＣＤ１、ＣＤ２は、前記印刷された棒フィーチャーのそれぞれの幅を測定して決定することを特徴とする請求項１に記載のリソグラフィ工程の焦点測定方法。
【請求項１０】
前記ピッチＰは、目標ＣＤの約１０倍又はその以上の範囲にあることを特徴とする請求項９に記載のリソグラフィ工程の焦点測定方法。
【請求項１１】
フォトマスク素子上に形成されたマスクテストパターンイメージを転写してフォトレジスト層内に前記印刷テストパターンを形成することを含むことを特徴とする請求項９に記載のリソグラフィ工程の焦点測定方法。
【請求項１２】
前記マスクテストパターンは、ピッチＰほど分離された第１の長棒要素及び第２の長棒要素を含み、
前記第１の棒要素及び前記第２の棒要素は、目標ＣＤと同一なライン幅を有し、
前記第１の長棒要素は、９０度位相移動された光について実質的に１００％の透過率を提供することに適した内部非印刷フィーチャーを含み、
前記第２の長棒要素は、２７０度位相移動された光について実質的に１００％の透過率を提供することに適した内部非印刷フィーチャーを含むことを特徴とする請求項１１に記載のリソグラフィ工程の焦点測定方法。
【請求項１３】
機器によって読み取ることができ、
リソグラフィ工程の焦点測定のために、第１の印刷テストフィーチャー及び第２の印刷フィーチャーを含む印刷テストパターンを含むフォトレジストパターンが形成された半導体ウェーハを得、
前記第１の印刷テストフィーチャーの印刷された最小線幅ＣＤ１及び前記第２の印刷テストフィーチャーの印刷最小線幅ＣＤ２を決定し、
前記印刷最小線幅ＣＤ１、ＣＤ２の間の相対的なＣＤ差を決定し、
前記決定された相対的なＣＤ差に基づいたリソグラフィ工程について最適焦点設定からの焦点誤差のサイズ及び方向を決定することを含む方法段階を遂行するために、前記機器によって実行可能なプログラム命令を具体的に示すことを特徴とするプログラム貯蔵素子。
【請求項１４】
焦点誤差条件を補正するため露光装備の焦点設定を自動に調整するための命令をさらに含むことを特徴とする請求項１３に記載のプログラム貯蔵素子。
【請求項１５】
前記印刷テストパターンは、焦点誤差のサイズ及び前記相対的なＣＤ差の間に線形的な関係が存在するように形成されることを特徴とする請求項１３に記載のプログラム貯蔵素子。
【請求項１６】
焦点設定は、前記相対ＣＤ差が約０に決定されるとき前記最適焦点設定にあるものとすることを特徴とする請求項１５に記載のプログラム貯蔵素子。
【請求項１７】
該当される焦点−露光マトリックスデータを用いて前記焦点誤差及び前記相対的なＣＤ差の間の線形的な関係を定量化するリソグラフィ工程モデルを立てるための命令をさらに含むことを特徴とする請求項１５に記載のプログラム貯蔵素子。
【請求項１８】
回路レイアウトパターン；および
第１のテストフィーチャー及び第２のテストフィーチャーを含むテストパターン；を含み、
前記第１及び第２のテストフィーチャーは、少なくとも一つのフィーチャーサイズが目標ＣＤと同一なように形成され、前記テストパターンは印刷最小線幅ＣＤ１を有する第１のテストフィーチャー及び印刷最小線幅ＣＤ２を有する第２のテストフィーチャーを作ることに適し、前記印刷最小線幅ＣＤ１、ＣＤ２の間の相対的な差がリソグラフィ工程のための最適焦点設定からの焦点誤差のサイズ及び方向と連関されるようにすることを特徴とするフォトマスク。
【請求項１９】
前記第１のテストフィーチャー及び前記第２のテストフィーチャーは、最適焦点位置においてサイズは同じで方向は反対になるように移動されたそれぞれの第１の焦点−露光曲線及び第２の焦点−露光曲線を作り出し、前記最適焦点位置において実質的に鏡像である全焦点ＣＤ特性を有するように形成されたことを特徴とする請求項１８に記載のフォトマスク。
【請求項２０】
前記第１の印刷テストフィーチャー及び第２の印刷テストフィーチャーは、ピッチＰほど分離された長棒要素であり、
前記印刷最小線幅ＣＤ１、ＣＤ２は、前記印刷された棒パターンそれぞれの幅であることを特徴とする請求項１９に記載のフォトマスク。
【請求項２１】
前記第１のテストフィーチャー及び第２のテストフィーチャーは、ピッチＰほど分離された第１の長棒構成要素及び第２の長棒構成要素であり、
前記第１の長棒構成要素及び前記第２の長棒構成要素は目標ＣＤと同一なライン幅を有し、
前記第１の長棒要素は、９０度位相移動された光について実質的に１００％の透過率を提供することに適した内部非印刷フィーチャーを含み、
前記第２の長棒要素は、２７０度位相移動された光について実質的に１００％の透過率を提供することに適した内部非印刷フィーチャーを含むことを特徴とする請求項１８に記載のフォトマスク。
【請求項２２】
前記第１の非印刷フィーチャー及び前記第２の非印刷フィーチャーそれぞれは、
前記第１のテストフィーチャー及び第２のテストフィーチャーそれぞれの内部領域と整列されたマスク基板領域を露光させるスペースフィーチャー；および
マスク基板内に形成され、前記スペースフィーチャーと整列されたトレンチフィーチャー；
を含むことを特徴とする請求項２１に記載のフォトマスク。
【請求項２３】
前記フォトマスクは、バイナリーマスクであり、
前記回路及び前記テストパターンは、特定波長で約０％の透過率を有する物質で形成されたことを特徴とする請求項１８に記載のフォトマスク。
【請求項２４】
前記フォトマスクは、位相移動マスクであり、
前記回路及び前記テストパターンは、特定波長で０％より大きい透過率を有する物質で形成されたことを特徴とする請求項１８に記載のフォトマスク。
【請求項２５】
前記テストパターンは、ウェーハの相異なるダイの間のスクライブライン領域に該当されるフォトマスク領域内に配置されたことを特徴とする請求項１８に記載のフォトマスク。
【請求項２６】
回路レイアウトパターン及び少なくとも一つ以上のパターンサイズが目標ＣＤと同一な第１のテストフィーチャー及び第２のテストフィーチャーを含み、印刷最小線幅ＣＤ１を有する前記第１の印刷テストフィーチャー及び印刷最小線幅ＣＤ２を有する前記第２の印刷テストフィーチャーを作ることに適したテストパターンを含むマスクパターンを有するフォトマスクを通過する光でフォトレジストがコーティングされたウェーハを露光させる露光システム；および
前記ＣＤ１及びＣＤ２の間のＣＤ差に基づいて焦点変化のサイズ及び方向を決定する前記第１の印刷テストフィーチャー及び第２の印刷テストフィーチャーの測定ＣＤデータを処理する露光システムの焦点変化を測定する焦点測定システム；
を含むことを特徴とするフォトリソグラフィシステム。
【請求項２７】
焦点測定システムからの制御信号出力に反応して露光システムの焦点設定を自動的に調整する制御システムをさらに含むことを特徴とする請求項２６に記載のフォトリソグラフィシステム。
【請求項２８】
それぞれの前記印刷テストフィーチャーのＣＤ２及びＣＤ１を自動的に測定し、前記測定されたＣＤ２及びＣＤ１を焦点測定システムに出力するＣＤ測定システムをさらに含むことを特徴とする請求項２６に記載のフォトリソグラフィシステム。
【請求項２９】
リソグラフィ工程変数のモデルの貯蔵所及びＦＥＭデータをさらに含み、
前記リソグラフィ工程モデルは、対応されるＦＥＭデータを用いて焦点誤差及びＣＤ２及びＣＤ１の間の相対的なＣＤ差の間の線形的な関係を定量化することを特徴とする請求項２６に記載のフォトリソグラフィシステム。
【請求項３０】
前記リソグラフィ工程モデルは、最適焦点位置においてサイズは同じで方向は反対になるように移動されたそれぞれの第１の焦点−露光曲線及び第２の焦点−露光曲線を作り出し、前記最適焦点位置において実質的に鏡像である前記第１のテストフィーチャー及び前記第２のテストフィーチャーの全焦点ＣＤ特性を明示することを特徴とする請求項２９に記載のフォトリソグラフィシステム。
【発明の詳細な説明】
【技術分野】
【０００１】
本発明は、フォトリソグラフィ工程における焦点変化を検出するシステムと方法に関するものである。より詳しくは、本発明は最小線幅を有するテストフィーチャーを印刷することに適したテストパターンを有するフォトマスクを製造する方法と関連されたものであり、この最小線幅はリソグラフィ工程の間、露光装備の最適の焦点位置からの焦点誤差と方向を決定して測定及び分析できる。
【背景技術】
【０００２】
本出願は、平成１７年４月１５日付米国に出願された特許文献１及び平成１７年４月２１日付米国に出願された特許文献２によって優先権を主張しており、参考文献として本明細書に参照できる。フォトリソグラフィは、半導体集積回路（Ｉｎｔｅｇｒａｌ  Ｃｉｒｃｕｉｔ；ＩＣ）素子を製造することにおける集積工程をいう。
【０００３】
一般に、フォトリソグラフィ工程は、半導体ウェーハ（又は半導体基板）をフォトレジスト層を有するようにコーティングし、化学線の光源（例えば、エキシマレーザー、水銀ランプなど）を集積回路のイメージを有するフォトマスクに透過させてフォトレジストを露光することを含む。例えば、極紫外線ステッパーのようなリソグラフィ装置が使用できるが、これを用いて光をフォトマスク及び高口径レンズを経てフォトレジスト層上に投射するようになる。ここで、光はフォトマスクパターンをフォトレジスト上に投射する。ハイブリッドマスクだけではなく、バイナリーマスク、ＥＡＰＳＭ（Ｅｍｂｅｄｄｅｄ  Ａｔｔｅｎｕａｔｅｄ  Ｐｈａｓｅ  Ｓｈｉｆｔ  Ｍａｓｋｓ）、ＡＡＰＳＭ（Ａｌｔｅｒｎａｔｉｎｇ  Ａｐｅｒｔｕｒｅ  Ｐｈａｓｅ  Ｓｈｉｆｔ  Ｍａｓｋｓ）などを含んで多様な種類のフォトマスクがリソグラフィのため開発されてきた。
【０００４】
最近、高集積回路素子は、狭い最小線幅を有する集積回路素子フィーチャーを有するようにデザインされている。限界寸法（Ｃｒｉｔｉｃａｌ  Ｄｉｍｅｎｓｉｏｎ；ＣＤ）は、特定素子の製造工程のためのデザインルールによって特定されるライン一つの一番狭い幅又は二つのラインの間の一番狭い間隔をいう。事実上、集積回路素子は、現在サブ波長フィーチャーサイズを有するように設計されているが、シリコンウェーハに印刷された回路イメージはパターンを露光するために使用される光源の波長よりさらに短い。例えば、最尖端ＤＵＶステッパーは、１００ｎｍ（０．１ミクロン）及びそれ以下のパターンサイズを有する集積回路を形成するために波長が１９３ｎｍであるＡｒＦ（Ａｒｇｏｎ  Ｆｌｕｏｒｉｄｅ）レーザーを使用する。
【０００５】
しかしながら、フィーチャーパターンが次第に狭くなるほど（例えば、サブ波長パターン）、サブ波長パターンを印刷するためのリソグラフィ工程ウィンドウを縮小させる光近接効果（Ｏｐｔｉｃａｌ  Ｐｒｏｘｉｍｉｔｙ  Ｅｆｆｅｃｔｓ；ＯＰＥ）によって最小線幅の要求を充足させることが次第にさらに難しくなる。
【０００６】
光近接効果は、狭い間隔の、隣接する回路フィーチャーによる光波長の回折によって発生するが、このような回折は光波長が投射されたパターンを歪ませ、パターンに依存する工程変数を作り出す方向に互いに作用するようにする。このような点で、サブ波長のフィーチャーを印刷する場合、光近接効果を減少又は補償させるため多様な技術が開発されてきた。
【０００７】
例えば、光近接効果補正（Ｏｐｔｉｃａｌ  Ｐｒｏｘｉｍｉｔｙ  ｅｆｆｅｃｔ  Ｃｏｒｒｅｃｔｉｏｎ；ＯＰＣ）及びＰＳＭ（Ｐｈａｓｅ  Ｓｈｉｆｔ  Ｍａｓｋ）技術のようによく知られたレチクル向上（ｒｅｔｉｃｌｅ  ｅｎｈａｎｃｅｍｅｎｔ）技術がフォトマスクを製造することに使用される。
【０００８】
解像度以下の印刷されない狭いフィーチャー（例えば、散乱棒）が光近接効果を補償するため回路マスクパターン内に付加される。さらに、ＰＳＭ技術は、近接効果を減らし、サブ波長フィーチャーの線幅周縁でのコントラストを高めるため設計された位相移動構造のマスクパターンを有するフォトマスク（例えば、ＡＡＰＳＭ、ＥＡＰＳＭなど）を製造するために使用される。他方、ＰＳＭ構造と比較するとき、バイナリーマスクは回折による光近接効果が発生しやすく、このような効果はサブ波長フィーチャーをリソグラフィ印刷するためのバイナリーマスクの機能を制限するようになる。
【０００９】
図１Ａ、図１Ｂ及び図１Ｃは、バイナリーマスクを使用する通常的なフォトリソグラフィ工程を概略的に示す。特に、図１Ａは、バイナリーマスク１０の平面図であり、図１Ｂは図１Ａにある１Ｂ−１Ｂ´ラインに沿って切ったバイナリーマスク１０の断面図である。一般に、バイナリーマスク１０は、マスク基板１２上に形成されたマスクパターン１１を含む。マスク基板１２は、露光される特定波長の光を透過する物質で作られる。例えば、マスク基板１２は、高純度石英又はガラスで通常作られる。バイナリーマスクでイメージパターン１１は、透過度が特定波長で約０％であるクロム（Ｃｒ）のような光を遮断する物質で作られるが、これは光の経路を遮蔽（及び反射）する役割を果たす。
【００１０】
図１Ａ及び図１Ｂにおいて、マスクパターン１１はマスク基板１２上に光を遮蔽する物質（例えば、クロム）層をエッチングして形成されたピッチＰ及びスペース１１ｂを有する長くて平行なラインフィーチャー１１ａを多数含む。マスクパターン１１は、リソグラフィ工程によって半導体基板上のフォトレジスト層に投射できる。特に図１Ｂに示されたように、露光工程の間バイナリーマスク１０のパターン化された表面上に照射される特定波長の光は、フォトマスクの露光された領域（例えば、スペース１１ｂ）を通過してフォトレジストがコーティングされたウェーハ上に投影でき、そうしてスペース１１ｂと整列されたフォトレジスト領域が光に露出される。例えば、ポジティブレジストにおいては露光されたフォトレジスト領域が現像される間除去でき、こうしてマスクパターン１１がフォトレジストに印刷される。
【００１１】
印刷されるべき最小線幅パターンが狭くなるにつれてリソグラフィ露光装備の解像度、すなわちバイナリーマスク技術を用いて狭いフィーチャーを正確に印刷できる能力は、回折による光近接効果なので、それ自体相当に減少する。このような限界が図１Ｃに示されている。特に、図１Ｃは半導体基板１６（例えば、ウェーハ）上に形成されたフォトレジスト１５層を含む半導体素子１４を示している。
【００１２】
図１Ｃにおいて、フォトレジスト１５は、図１Ａ及び図１Ｂにある１：１倍率のバイナリーマスク１０を用いて露光された“ポジティブレジスト”と仮定する。また、印刷されるべきラインパターン１１ａ及びスペース１１ｂの最小線幅は、露光システムの解像度限界と殆ど同じと仮定する。
【００１３】
図１Ｃに示されているように、とても狭い間隔のラインパターンによる光近接効果は、ライン−スペースパターンがフォトレジスト１５に印刷されることを妨害する。
【００１４】
特に、図１Ｃは回折効果によってフォトレジスト１５を経てウェーハ平面内にある電気場曲線１３（サイズ及び方向）を示している。
【００１５】
特に、ライン−スペースパターン１１ａ、１１ｂが狭いサイズなのでフォトレジスト１５上に照射される光の回折効果は、隣接するスペースフィーチャー１１ｂの電気場ベクトルが強め合う干渉（ｃｏｎｓｔｒｕｃｔｉｖｅ  ｉｎｔｅｒｆｅｒｅｎｃｅ）になるようにし、そうしてラインフィーチャー１１ａに整列されたフォトレジスト１５領域で光の強度が増加する。図１Ｃは、電気場１３がライン−スペースパターン１１ａ、１１ｂに整列されたフォトレジストの全体領域にかけてフォトレジスト露光スレッショルド値Ｔｐに到達するか、或いは超過する状態を示す。結果的に、ラインフィーチャー１１ｂは、印刷されなく、スペースフィーチャー１１ｂは不連続的なスペースフィーチャーではない一つの広いスペースフィーチャーとしてフォトレジスト１５内に印刷される。このような回折効果は、ＰＳＭ技術を用いて減少できる。
【００１６】
例えば、図２Ａ、図２Ｂ及び図２ＣはＥＡＰＳＭを使用する通常的なフォトリソグラフィ工程を概略的に示す。特に、図２ＡはＥＡＰＳＭ構造２０の平面図であり、図２Ｂは図２Ａ内にある２Ｂ−２Ｂ´線に沿って切ったＥＡＰＳＭ構造２０の概略的な断面図である。
【００１７】
一般に、ＥＡＰＳＭ構造２０は、マスク基板２２上に形成されたマスクパターン２１を含む。マスク基板２２は、高純度石英又はガラスのような物質で作られるが、これは特定波長の露光光に対して透過的である。マスクパターン２１は、特定波長で透過度が約２％〜２０％範囲であるケイ化モリブデン（ＭｏＳｉ）のように、光を遮断する物質（又は位相移動物質）で作られる。図２Ａ及び図２Ｂは、図１Ａ及び図１Ｂのラインスペースマスクパターンと同様に、マスクパターン２１を示しているが、これはピッチＰ及びスペース２１ｂを有する長くて平行なラインフィーチャー１１ａを多数含む。図１Ａ及び図１Ｂのフォトマスク１０と比較するとき、図２Ａ及び図２Ｂのフォトマスク２０は、ウェーハ水準でＤＵＶ消滅干渉を起こし、これはラインフィーチャーが光の波長より短いサブ波長の線幅により正確に印刷できるようにする。これは、図２Ｃに概念的に示されている。
【００１８】
特に、図２Ｃは半導体基板２６（例えば、ウェーハ）上に形成されたフォトレジスト層を含む半導体素子２６を示す。図２Ｃにおいて、フォトレジスト層２５は、図２Ａ及び図１Ｂにある１：１倍率のバイナリーマスク２０を用いて露光された“ポジティブレジスト”と仮定する。図２Ｃは、フォトレジスト２５全体にかけてウェーハ平面内に得られた電気場２３を示す。ラインフィーチャー２１ａは、小さい比率の照射された光がマスク基板２２を通過するようにするが、光の強度が弱くてウェーハ２６上のレジスト２５を露光させない。
【００１９】
マスクラインフィーチャー２１ａは、基板２２の露出された領域（スペースパターン２１ｂ）でマスク２０を通過する光とは違って、マスク２０を通過する光の１８０度位相移動を起こすが、これはマスクフィーチャーの線幅周縁でのイメージコントラストを増加させ、そうしてリソグラフィ工程での解像度を増加させる。より具体的には、図１Ｃに示されているようにガラス基板に隣接したラインフィーチャー２１ａの線幅周縁で消滅干渉が起こる。この時、マスクラインフィーチャー２１ａに整列されたフォトレジスト２５の領域で電気場の強度は、十分にレジストスレッショルド値Ｔｐ以下で維持され、通常的なリソグラフィ装置を用いてサブ波長の最小線幅を有するラインスペースパターンを印刷することにおける解像度の増加を可能にする。
【００２０】
交互のアパチャーは、ＯＰＥ効果を減少させ、サブ波長のフィーチャーを印刷するためＤＵＶ消滅干渉による、異なるＰＳＭ技術である。例えば、図３Ａ、図３Ｂ及び図３Ｃは、ＡＡＰＳＭを用いる通常的なフォトリソグラフィ工程を概略的に示す。特に、図３ＡはＡＡＰＳＭ構造３０の平面図であり、図３Ｂは図３Ａ内にある３Ｂ−３Ｂ´線に沿って切ったＡＡＰＳＭの概略的な断面図である。一般に、ＡＡＰＳＭ構造３０は、マスク基板３２上に形成されたマスクパターン３１を含む。マスク基板３２は、高純度石英又はガラスのような物質で作られるが、これは特定波長の露光光に対して透過的である。マスクパターン３１は、透過度が特定波長で約０％であるクロム（Ｃｒ）のような光を遮断する物質で作られるが、これは光の経路を遮蔽（及び反射）する役割を果たす。図３Ａ及び図３Ｂは、図１Ａ及び図１Ｂのラインスペースマスクパターンと類似したピッチＰ及びスペース３１ｂを有する多数の長くて平行なラインフィーチャー３１ａを含むマスクパターン３１を示す。図１Ａ及び図１Ｂのフォトマスク１０と比較して、図３Ａ及び図３Ｂにあるフォトマスク３０は、スペースパターン３１ｂのうち交互に一つずつ、マスク（石英）基板３２の内部に選択的にエッチングされたトレンチ３２ａをさらに含む。トレンチ３２ａは、エッチングされないマスク基板の領域とは違って、１８０度位相移動を起こす。このように得られた位相差は、ＤＵＶ消滅干渉を起こし、イメージコントラストを向上させる。これは、図３Ｃに概念的に示されている。
【００２１】
特に、図３Ｃは半導体基板３６（例えば、ウェーハ）上に形成されたフォトレジスト層を含む半導体素子３４を示す。図３Ｃで、フォトレジスト層３５は、図３Ａ及び図１Ｂにある１：１倍率のバイナリーマスク３０を用いて露光された“ポジティブレジスト”と仮定する。
【００２２】
図３Ｃは、フォトレジスト層３５全体にかけてウェーハ平面内に得られた電気場曲線３３（サイズ及び方向）を示す。スペースフィーチャー３１ｂは、照射された光がマスク基板３２を経てフォトレジストを過ぎるようにする反面、ラインフィーチャー３１ａは光を反射する。トレンチ３２ａは、スペースパターン３１ｂにある露光されてエッチングされない基板３２の領域を経てマスク３０を通過する光とは違って、マスク３０を通過する光の１８０度位相移動を起こす。その結果、電気場３３はラインフィーチャー３１ａを基準に対向する両側でサイズは同じで位相は反対になり、エッチングされた領域及びエッチングされない領域の間で起こる消滅干渉は、レジスト３６内のラインスペースフィーチャー３１ａ、３１ｂを印刷することにおける高精度にイメージコントラストを向上させる陰影領域を作り出す。
【００２３】
前述したようにＰＳＭ技術がサブ波長のフィーチャーを印刷することにおける高解像度を提供するため一般に用いられることができるが、このようなフィーチャーがリソグラフィとして優れるように複写できるかは主にリソグラフィ工程ウィンドウのサイズに従っている。一般に、よく知られたように、“工程ウィンドウ”という用語は印刷されたフォトレジストパターン（例えば、ライン幅、壁の角度、レジスト厚さ）の特徴が予め決められた規格内で維持されるために許容できる露光量及び焦点の変化程度を意味する。特定リソグラフィ環境で、露光量及び焦点変化によるこのようなフォトレジストパターンの感度は、一連の焦点−露光データを得ることによって実験的（又はコンピュータシミュレーション）に決定できる。例えば、特定したリソグラフィ工程及びマスクについて、焦点及び露光量による関数であるライン幅の変化を決定するため一連の焦点−露光データが用いられることができる。
【００２４】
図４Ａは、例示的なＢｏｓｓｕｎｇ（焦点−露光）図であり、これはライン幅（以下、ＣＤ）対露光量による焦点の間の変数曲線を含む。特に、例示されたＢｏｓｓｕｎｇ図は、相異なる露光エネルギー（Ｅ１〜Ｅ５）で焦点誤差（ｘ−軸）によるＣＤ変化（ｙ−軸）を示す。図４で、点線ライン４０は、目標（理論的な）ＣＤを意味し、点線ライン４１及び点線ライン４２は、それぞれ許容できる上限（ＣＤ＋）値及び下限（ＣＤ−）値を示すが、この値は目標ＣＤ４０によって異なる。焦点誤差変数（ｘ−軸）は最適の焦点位置から相対的に外れる程度を意味する。図４Ａで、最適の焦点位置は焦点誤差＝０に示されている。
【００２５】
もし焦点及び露光量における大きい変化が目標ＣＤ４０に最小限の影響を与えれば、リソグラフィ工程は良好なことと思われる（印刷されたＣＤを許容できるＣＤの所望の範囲内に維持する。）。特に、用いることができる工程ウィンドウは、焦点深度（ＤＯＦ）及び露光幅（Ｅｘｐｏｓｕｒｅ  Ｌａｔｉｔｕｄｅ；ＥＬ）の組合せとして規定できるが、これは目標ＣＤの±１０％内で印刷フィーチャーを維持する。露光幅（ＥＬ）という用語はＣＤを規格数値限界内で維持する露光エネルギーのパーセント量範囲を意味する（通常目標値からのパーセント変化で表現される。）。使用できる焦点範囲又は焦点深度（ＤＯＦ）は、典型的に焦点条件の範囲を意味するが、ここで印刷されたフィーチャー又はフィーチャーの間スペース幅の数値は、通常目標とするライン幅又はＣＤの±１０％の間に置かれる。焦点深度（ＤＯＦ）の概念が概略的に図４Ｂに示されている。
【００２６】
特に、図４Ｂにはフォトレジストがコーティングされた基板を露光するためのレチクルを使用するリソグラフィ投射工程を示す。特に、図４Ｂは光源４３と、コンデンサレンズ４４と、レチクル４５及び投射レンズと、を含む投射システムについての概略的な図面である。光源４３は、コンデンサレンズ４４に照射される光を放出する。光は、コンデンサレンズ４４を通過して予め決定されたパターンが形成されたレチクル４５の全表面を均等に照射する。その後、レチクル４５を通過する光は、投影レンズ４６を経て予め決定されたスケール因子によって減少され、半導体基板４８上のフォトレジスト層４７を露光する。投影レンズ４６を使用する場合、レチクル４５上のマスクフィーチャーのサイズは、フォトレジスト４７内に印刷される同一なフィーチャーより通常４又は５倍広くなる。例えば、５：１倍率の投射システム内でレチクル上に１ミクロンの幅を有するマスクラインフィーチャーは、フォトレジスト内に印刷された０．２ミクロン間隔のラインに転写される。
【００２７】
図４Ｂは、焦点深度（ＤＯＦ）を概念的に示す。一般に光学システムの焦点面は、焦点ポイントＦＰを含む平面である。焦点面は、通常光学システムの最適焦点平面と呼ばれる。焦点という用語は、光学軸（すなわち、最適焦点面に垂直な軸）に沿って測定されるレジスト層の上部表面又はフォトレジストの中心のような基準面についての光学システムの最適焦点面の位置を意味する。例えば、図４Ｂに示されているように、最適焦点の平面（焦点面）は、フォトレジスト層４７の表面近傍に置かれている。図４Ｂに示されている実施形態で、焦点はイメージシステムの焦点面についてのレジスト層表面の位置によって決定される。焦点誤差という用語は、レジストでコーティングされたウェーハ（すなわち、レジスト層４７の表面）の実際位置及びウェーハが最適焦点にあるようになる位置の間で光学軸（すなわち、最適焦点面に垂直な軸）に沿って測定された距離を意味する。フォトリソグラフィ工程の間、焦点は最適焦点から±焦点誤差位置に変化できる。焦点深度（ＤＯＦ）は、許容範囲の±焦点誤差を意味する。
【００２８】
図４Ａに再び戻って、焦点及び露光量における変化は、（目標ＣＤから）許容範囲のＣＤを外れて印刷されたパターンのＣＤを増加又は減少させることができる。一般に、焦点変化に応じてライン幅が急激に変化される場合には、狭い工程ウィンドウであることが分かる。例えば、図４Ａに示されているように、変数曲線Ｅ１、Ｅ２、Ｅ４、Ｅ５は、該当される露光量、ＣＤが最適焦点位置（焦点誤差＝０）からの焦点偏差により敏感なことを示す。
【００２９】
これとは対照的に、曲線Ｅ３はより直線に近いが、これは特定な露光量、ＣＤが最適焦点位置（焦点誤差＝０）からの焦点偏差により低い敏感なことを意味する。
【００３０】
前述したようにＡＡＰＳＭ及びＥＡＰＳＭのような向上技術が解像度を改善するために使用できるが、このような技術は複雑で高コストになり、広いチップサイズを必要とする。さらに、ＰＳＭ技術は“禁止されたピッチ”現象によって、減少された工程ウィンドウを示すようになる。より詳しく説明すれば、ＯＡＩ（ｏｆｆ−ａｘｉｓ  ｉｌｌｕｍｉｎａｔｉｏｎ）である場合には、特定フィーチャー及び目標ＣＤについて、一つ又はそれ以上のピッチがあることができるが、そのようなフィーチャーのうち密集したパターンの工程幅は、同一なサイズの独立的なパターンについての工程幅よりさらに悪いことがある。特定ピッチ（例えば、マスク上の一番狭いピッチ）についてＯＡＩが最適化される場合、異なるピッチを有するパターンがあることができるが、ここで回折角度と共に照明の角度が回折を起こし、その特定ピッチについて減少された焦点深度（ＤＯＦ）を齎す。禁止されたピッチ現象は、サブ波長のフィーチャーを印刷するためのフォトリソグラフィに制限を与える要因になってきた。
【００３１】
露光装置は、“フォーカスバジェット”を有するが、これは、露光装備の焦点変化を補償するために必要なフォトリソグラフィ工程における最小焦点深度（ＤＯＦ）を意味する。特定なレイアウトパターンピッチの焦点深度（ＤＯＦ）が露光装備に要求されるフォーカスバジェットより大きくなければ、レイアウトパターンピッチは禁止されたピッチと思われる。従って、禁止されたピッチ現象を減少させることができれば、最近の半導体素子製造装置及び技術を用いて得ることができるＣＤ及び工程幅を全体的に改善できるものである。
【００３２】
サブ波長フィーチャーを印刷する場合、ＣＤ均一度を調節することが重要である。しかしながら、フォトリソグラフィ露光装置（スキャナー、ステッパー）で露光工程変数の小さい変化が印刷フィーチャーの最小線幅（ＣＤ）が許容可能な製造数値範囲を外れるようにできる。例えば、焦点深度（ＤＯＦ）はリソグラフィ投射装備の解像度を決定する一番重要な基準の一つと一般に思われる。
【００３３】
フォトリソグラフィ工程の間、露光システムの焦点は、例えば温度、圧力変化、ウェーハ平坦度の変化又は他の要素によってフォトレジストがコーティングされた基板の所望の基準表面上又は下で変化できる。工程ウィンドウによって異なれば、最適焦点からの焦点変化（又は焦点誤差）の程度は、印刷フィーチャーの広さについて顕著な効果を示すことができる。従って、工程をよく制御して各ウェーハについて利用可能な範囲内で焦点が維持できるようにするべき必要がある。この時、焦点誤差の程度は、最適焦点を測定する適切な方法がなくては決定できない。
【００３４】
前述したように、工程ウィンドウを改善するためにマスク技術及び光近接効果補正（ＯＰＣ）ソリューションを開発する必要性がとても大きく、サブ波長のフィーチャーを精度があるように印刷するための最新光学露光システムの解像度を増加させる必要性がある。さらに、サブ波長リソグラフィ工程における焦点変化によるＣＤ変化の程度が敏感であれば、フォトリソグラフィ工程の間焦点変化（サイズ及び方向）を効率的に測定する技術を開発する必要があり、焦点を合わせてＣＤを均一にするため露光装置を自動調節する必要がある。
【特許文献１】韓国公開特許第２００４−０１８９８１４号
【発明の開示】
【発明が解決しようとする課題】
【００３５】
本発明の技術的課題は、フォトリソグラフィ工程におけるテストパターンを用いて焦点変化を測定することによって最適焦点を決定する方法を提供するところにある。
【００３６】
本発明の他の技術的課題は、フォトリソグラフィ工程におけるテストパターンを用いて焦点変化を測定することによって最適焦点を決定するシステムを提供するところにある。
【００３７】
本発明の技術的課題は、以上で言及した技術的課題に制限されなく、言及されないさらに他の技術的課題は、以下の記載から当業者に明確に理解できるものである。
【課題を解決するための手段】
【００３８】
前述した技術的課題を達成するために本発明の実施形態は、一般にフォトリソグラフィ工程における焦点変化を測定するシステム及び方法を含む。
【００３９】
より詳しくは、本発明の実施形態はリソグラフィ工程の間露光装備の最適焦点位置からの焦点誤差のサイズ及び方向を決定するために測定及び分析できる最小線幅を有するテストフィーチャーを印刷することに適したテストパターンを有するフォトマスクを製造する方法を含む。
【００４０】
本発明の一実施形態で、リソグラフィ工程の焦点を測定するための方法が提供される。この方法は、第１の印刷テストフィーチャー及び第２の印刷テストフィーチャーを含む印刷テストパターンを含むフォトレジストパターンが形成された半導体ウェーハを得、第１の印刷テストフィーチャーの印刷最小線幅ＣＤ１及び第２の印刷テストフィーチャーの印刷最小線幅ＣＤ２を決定し、印刷された最小線幅ＣＤ１、ＣＤ２の間の相対的なＣＤ差を決定し、決定された相対的なＣＤ差に基づいてリソグラフィ工程においての最適焦点設定からの焦点誤差のサイズ及び方向を決定することを含む。
【００４１】
一実施形態で、印刷されたテストパターンは、焦点誤差のサイズ及び相対的なＣＤ差の間に線形的な関係が存在するように形成される。焦点設定は、相対ＣＤ差が約０に決定されるとき、最適焦点設定にあるものとする。該当される焦点−露光マトリックスデータを用いて焦点誤差及び相対的なＣＤ差の間の線形的な関係を定量化するリソグラフィ工程モデルが立てられる。
【００４２】
他の実施形態で、フォトマスクは、回路レイアウトパターン及び第１のテストフィーチャー及び第２のテストフィーチャーを含むテストパターンを含む。
【００４３】
第１及び第２のテストフィーチャーは、少なくとも一つのフィーチャーサイズが目標ＣＤと同一なように形成される。テストパターンは、印刷最小線幅ＣＤ１を有する第１のテストフィーチャー及び印刷された最小線幅ＣＤ２を有する第２のテストフィーチャーを作ることに適し、印刷された最小線幅ＣＤ１、ＣＤ２の間の相対的な差がリソグラフィ工程のための最適焦点設定からの焦点誤差のサイズ及び方向と連関されるようにする。第１のテストフィーチャー及び第２のテストフィーチャーは、最適焦点位置においてサイズは同じで方向は反対になるように移動されたそれぞれの第１の焦点−露光曲線及び第２の焦点−露光曲線を作り出し、最適焦点位置において実質的に鏡像である全焦点ＣＤ特性を有するように形成される。
【００４４】
一実施形態で、第１の印刷テストフィーチャー及び第２の印刷テストフィーチャーは、ピッチＰほど分離された長棒要素であり、印刷された最小線幅ＣＤ１、ＣＤ２は、印刷された棒フィーチャーのそれぞれの幅になる。第１の印刷テストフィーチャー及び第２の印刷テストフィーチャーは、第１の印刷テストフィーチャー及び第２の印刷テストフィーチャーを基板に転写することによって形成される。第１の印刷テストフィーチャー及び第２の印刷テストフィーチャーは、ピッチＰほど分離された第１の長棒構成要素及び第２の長棒構成要素に形成され、第１の長棒構成要素及び第２の長棒構成要素は目標ＣＤと同一なライン幅を有する。第１の長棒要素は、９０度位相移動された光について実質的に１００％の透過率を提供することに適した内部非印刷フィーチャーを含み、第２の長棒要素は、２７０度位相移動された光について実質的に１００％の透過率を提供することに適した内部非印刷フィーチャーを含む。
【００４５】
一実施形態で、第１の非印刷フィーチャー及び第２の非印刷フィーチャーそれぞれは、第１のテストフィーチャー及び第２のテストフィーチャーそれぞれの内部領域と整列されたマスク基板領域を露光させるスペースフィーチャー及びマスク基板内に形成され、スペースフィーチャーと整列されたトレンチフィーチャーを含む。
【００４６】
本発明の他の実施形態で、フォトリソグラフィシステムは、回路レイアウトパターン及び少なくとも一つ以上のパターンサイズが目標ＣＤと同一な第１のテストフィーチャー及び第２のテストフィーチャーを含み、印刷最小線幅ＣＤ１を有する第１の印刷テストフィーチャー及び印刷最小線幅ＣＤ２を有する第２の印刷テストフィーチャーを作ることに適したテストパターンを含むマスクパターンを有するフォトマスクを通過する光でフォトレジストがコーティングされたウェーハを露光させる露光システムを含む。フォトリソグラフィシステムは、ＣＤ１及びＣＤ２の間のＣＤ差に基づいて焦点変化のサイズ及び方向を決定する第１の印刷テストフィーチャー及び第２の印刷テストフィーチャーの測定ＣＤデータを処理する露光システムの焦点変化を測定する焦点測定システムをさらに含む。
【００４７】
他の実施形態で、フォトリソグラフィシステムは、焦点測定システムからの制御信号出力に反応して露光システムの焦点設定を自動的に調整する制御システムを含む。
【００４８】
さらに他の実施形態で、フォトリソグラフィシステムは、それぞれの印刷テストパターンであるＣＤ２及びＣＤ１を自動的に測定し、測定されたＣＤ２及びＣＤ１を焦点測定システムに出力するＣＤ測定システムを含む。
【００４９】
本発明のさらに他の実施形態で、フォトリソグラフィシステムは、リソグラフィ工程変数のモデルの貯蔵所及びＦＥＭデータを含む。リソグラフィ工程モデルは、対応されるＦＥＭ（Ｆｏｃｕｓ−Ｅｘｐｏｓｕｒｅ  Ｍａｔｒｉｘ）データを用いて焦点誤差及びＣＤ２及びＣＤ１の間の相対的なＣＤ差の間の線形的な関係を定量化する。リソグラフィ工程モデルは、最適焦点位置においてサイズは同じで方向は反対になるように移動されたそれぞれの第１の焦点−露光曲線及び第２の焦点−露光曲線を作り出し、最適焦点位置において実質的に鏡像である第１のテストパターン及び第２のテストパターンの全焦点ＣＤ特性を明示する。
【発明の効果】
【００５０】
前述したようなフォトリソグラフィ工程における焦点変化測定方法及びシステムによれば、フォトマスク内にあるテストパターンを用いてフォトレジストに印刷されたＣＤ値を測定でき、これにより実験的に、又はコンピュータシミュレーションを通じたモデルを立てて印刷されたＣＤ差及び焦点変化との相関関係を立てることができ、従って特定したフォトリソグラフィシステムにおける最適焦点を決定できる。
【発明を実施するための最良の形態】
【００５１】
本発明の実施形態、他の実施形態、観点、目的、特徴及び利点は、添付する図面と共に詳細に後述している実施形態を参照すれば明確になる。
【００５２】
本発明の実施形態によってリソグラフィ工程ウィンドウを改善するためのフォトマスク構造を用い、このような素子を製造するため焦点測定を可能なようにする例示的なフォトマスク構造及び方法が以下で添付する図面と共により詳細に説明する。
【００５３】
図面は、単に概略的なものであり、多様な構成要素、層及び領域の厚さ及び数値は正確なことではなく、明確性のため多少誇張されている。
【００５４】
また、一つの層が他の層又は基板“上”又は“上部”にあると言及されるときは、その層は他の層又は基板の上に直接あることができ、中間にさらに他の層があることもできる。
【００５５】
そして、図面全体にかけて同一な参照符号は、同一であるか、或いは類似な構成要素、又は同一であるか、或いは類似な機能を示す。
【００５６】
図５Ａ及び図５Ｂは、本発明の一実施形態によるフォトマスクを概略的に示す。特に、図５Ａは例示的なフォトマスク５０の平面図であり、図５Ｂは図５Ａにある５Ｂ−５Ｂ´線に沿って切った例示的なフォトマスクの断面図である。
【００５７】
一般に、フォトマスク５０は、マスク基板５５上に形成されたマスクパターンを含む。マスクパターンは、本発明の一実施形態によって長棒５１要素を含む。長棒５１の要素は、線幅周縁５１ａ、５１ｂの間に厚さｔ、幅Ｗ４を有する印刷可能なフィーチャーである。長棒５１は、幅Ｗ１の厚さを有する第１の光遮断要素５２、幅Ｗ２の厚さを有する第２の光遮断要素５４、及び、第１の光遮断要素５２及び第２の光遮断要素５４の間に置いている内部位相移動パターン５３（又は“位相棒”という。）を含む。位相棒５３は、幅Ｗ３を有する内部領域に、マスク基板５５の表面下に深さｄほど、マスク基板５５の内側に延長される。
【００５８】
一般に、位相棒５３は、非印刷、解像度向上フィーチャーであって、ここにサブ波長フィーチャーを印刷することにおける工程ウィンドウを改善するための多様な種類のマスク技術が使用できる。
【００５９】
一般に、位相棒５３は、解像度以下の数値（例えば、幅Ｗ３はデザインＣＤより狭い。）を有するように形成されて位相棒５３が印刷されない。
【００６０】
本質的に、位相棒５３は、長棒要素５１の内部光透過領域で光を１００％透過させ、この領域を通過する光は長棒要素５１周辺の基板５５領域を透過する光とは違って、位相が移動される。位相移動の程度は、位相棒５３のトレンチ深さｄ、マスク基板５５の物質及び光源の波長に依存する。一実施形態で、位相棒５３は周辺領域で透過された光について１８０度位相が移動された光を透過するようにデザインされる。特に、１８０度位相移動になるようにするためには、トレンチの深さｄは次の式の通り決定される。
【００６１】
d*(ηsubstrate-ηair)=(1/2)λ    ・・・    （式）
【００６２】
このように得られた位相差によって干渉が起こり、イメージコントラストが向上される。
【００６３】
さらに、長棒要素５１の総透過度は構成要素５２、５３、５４（例えば、Ｗ１、Ｗ２、Ｗ３）の数値及び／又は光遮断要素５２、５４を形成することに使用される物質の種類を変化させて調節できる。特に、長棒要素５１は、三つの棒を含むが、この棒は効果的な透過率（（Ｗ１＊Ｔ１）＋（Ｗ２＊Ｔ２）＋（Ｗ３＊Ｔ３））／Ｗ４（ここで、Ｔ１、Ｔ２、Ｔ３はそれぞれ第１の光遮断棒５２、第２の光遮断棒５４及び位相棒５３の透過率（％）を意味する。）を有する一つの棒要素として共に作用する。前述したように、位相棒５３は１００％の透過率を提供する。光遮断要素５２、５４の透過率Ｔ１、Ｔ２は、物質種類に応じて変化する。例えば、ほぼ０％の透過率を有するクロムのような光遮断物質が使用でき、又は約５％〜１０％の低い透過率（％）を有するＭｏＳｉのような光遮断物質を使用できる。実際、光遮断要素５２、５４は、外部の光透過領域及び内部の光透過（位相棒）領域の間の光透過率及び光の強度分布を調節するためその構造及び数値が変更され、これによりイメージコントラストが最適化される。これが従来のフォトマスク技術としてコントラストを調節する方法であるが、ここで棒の透過率は調節できない。
【００６４】
長棒要素５１の多様な要素５２、５３、５４は、フィーチャーの線幅周縁５１ａ、５１ｂでコントラストを最適化する方式にフォトレジスト表面全体にかけて光の強度を分布させるようにデザインでき、このようにして長棒要素５１を印刷するための解像度及び工程ウィンドウを向上させる。例えば、図５Ｃは例示的なフォトマスク５０を用いるフォトリソグラフィ工程を概略的に示す。図５Ｃは、基板５８上のフォトレジスト層に沿ってウェーハレベルにある電気場曲線５７を示すが、これは例示的なフォトマスク５０を用いてポジティブレジストがコーティングされた基板５８を露光する場合が示される。前述したように長棒要素５１は、特定波長で約２％〜１０％範囲の透過率を有するＭｏＳｉのような光遮断物質（又は位相移動物質）で形成されたことと仮定し、位相棒５３のトレンチ要素である深さｄは、１８０度の位相移動を提供することと仮定する。図５Ｃは、長棒要素５１に該当する幅Ｗ４である印刷されたフォトレジストパターン５９を示す。
【００６５】
位相が移動される内部領域５３は、１８０度移動された光を１００％透過するが、フォトレジストパターン５９に印刷されない。
【００６６】
図６Ａ〜図６Ｆは、本発明の一実施形態によるフォトマスクを製造する方法を概略的に示す。特に、例示的な目的で、図６Ａ〜図６Ｆは図５Ａ及び図５Ｂの例示的なフォトマスク５０を製造する方法を概略的に示す。先ず、図６Ａを参照すれば、マスク物質層５１´及びフォトレジスト層６０がマスク基板５５上に順次に形成される。フォトレジスト層６０は、図６Ｂに示されているフォトレジストパターン６０ａを形成するように処理される。一実施形態で、フォトレジストパターン６０ａは、予め決められたマスクレイアウトデザインによってフォトレジスト層６０の所望の領域を露光するためのレーザー露光工程を遂行し、その後レーザーで露光されたフォトレジスト６０領域を除去する現像工程を遂行して形成される。
【００６７】
図６Ｃを参照すれば、フォトレジストパターン６０ａは、知られた技術を用いてマスク物質層５１´をエッチングすることにおいて、エッチングマスクとして用いられ、このようにしてマスク物質層５１´をパターン化し、フォトマスクパターンを発生させる。例えば、図６Ｃに示されているように、長棒要素５１についての光遮断要素５２、５４は、第１のエッチング工程で形成される。図６Ｄを参照すれば、第２のフォトレジストパターン６１は、光遮断要素５２、５４の間にあるスペース領域を露光するため形成される。図６Ｅで、フォトレジストパターン６１をエッチングマスクとして用いてエッチング工程を遂行し、このようにしてマスク基板５５の内部に所望の深さｄほどトレンチを形成するようになる。図６Ｆで、フォトレジストマスク６１が除去され、図５Ａ及び図５Ｂを参照して前述したフォトマスク構造を得るようになる。
【００６８】
図６Ａ〜図６Ｆの例示的な方法において、マスクパターン５１を形成するため、単に二つのマスク書き取り段階が遂行される。第１のマスク書き取り工程（図６Ａ及び図６Ｂ）はマスクパターン５１を形成し、位相周縁を限定することを伴う工程であり、レーザー工程を用いて精巧に遂行できる重要な工程である。第２のマスク書き取り工程（図５Ｄ及び図５Ｅ）は、マスク基板５５内に位相棒トレンチをエッチングすることを伴う工程であり、より重要度が低い工程である。特に、第２のマスク書き取り工程は、フォトレジストマスク６１のオーバーレイが精密なことを要求しないが、これはトレンチが光遮断要素５２、５４によって自己整列されるためである。特に、フォトレジストマスク６１は、マスク基板５５の他の領域を覆うことによって、エッチングされることを防ぐ反面、光遮断要素５２、５４は、基板５５内のトレンチをエッチングするとき本質的なエッチングマスクとして作用する。
【００６９】
本発明に従う非印刷内部位相移動領域を有するフォトマスク構造を用いて得ることができる向上した工程ウィンドウを例示するため、図７及び図８に示されているフォトマスクパターンに関する多様なシミュレーションが遂行された。特に、図７は実質的に互いに平行でピッチＰほど分離されて配列された一連の長棒７１（印刷可能なパターン）を含む通常的なフォトマスクパターン７０を示す。また、パターン７０は長棒７１の間に配列された多数の解像度以下の（非印刷）補助フィーチャー７２（Ａｓｓｉｓｔａｎｔ  Ｆｅａｔｕｒｅｓ；ＡＦ）を含む。
【００７０】
補助フィーチャー７２は、印刷されないフィーチャーとして、回折効果を補償するためにマスク内に提供される。図８は、図７と類似したパターンを示しているが、ここでは主棒７１が図５Ａ及び図５Ｂを参照して前述したような位相棒を有する例示的な棒８１に代替されている。
【００７１】
目標ＣＤを６５ｎｍとするマスクパターン７０、８０を用いて以下で説明する条件下にフォトリソグラフィシミュレーションが遂行された。光源はＤＵＶ／ＡｒＦ（１９３ｎｍ）であり、口径（Ｎｕｍｅｒｉｃ  Ａｐｅｒｔｕｒｅ；ＮＡ）＝０．８５であり、４：１倍率のクエーサー照明方法であり、露光量は０．５３〜０．８０ドーズ範囲に限定された。マスク７０、８０は、６．５％の透過率及び１８０度位相移動を提供する厚さを有するマスク物質を備えるＡＰＳＭ（Ａｔｔｅｎｕａｔｅｄ  ＰＳＭ）マスクとした。ピッチＰは、６００ｎｍに設定され、棒７１、８１は、１０５ｎｍ、補助パターン７２は３５ｎｍに限定された。また、図８の例示的な棒要素８１について、光遮断要素及び内部位相移動領域の幅は同一な幅である３５ｎｍ／３５ｎｍ／３５ｎｍを有することと限定され、トレンチの深さは特定光の波長について１８０度位相移動を提供することと限定された。
【００７２】
図９Ａ及び図９Ｂは、前述した条件下で図７の通常的なマスクパターンについてのシミュレーション結果を示す。特に、図９Ａは、０．５３から０．８０まで変化された露光スレッショルド値についての曲線を有するＢｏｓｓｕｎｇグラフ９０を示す。線９１、９２、９３は、目標ＣＤ（６５ｎｍ）、上限値（ＣＤ＋＝６９ｎｍ）及び下限値（ＣＤ−＝６１ｎｍ）を意味し、目標ＣＤから約±６．２％のマージンを提供する。図９Ｂは、工程ウィンドウ９５（ＣＤ工程ウィンドウ）をグラフに示すが、露光及び焦点変化に応じてそれぞれ高いＣＤ数値及び低いＣＤ数値の曲線９６、９７を含む。図７の例示的なパターンについてのシミュレーションにおいて、最適焦点は、０．２μｍ及び最適露光量は２０ドーズに決定された。
【００７３】
このような条件下で、焦点深度（ＤＯＦ）及び露光幅（ＥＬ）は、０と同一である（このような変数は、所望の工程ウィンドウを外れるようになるためである。）。
【００７４】
図１０Ａ及び図１０Ｂは、前述した条件下で図８のマスクパターンについてのシミュレーション結果を示す。特に、図１０Ａは、０．５３から０．８０まで変化された露光スレッショルド値についての曲線を有するＢｏｓｓｕｎｇグラフ１００を示す。
【００７５】
線１０１、１０２、１０３は、目標ＣＤ（６５ｎｍ）、上限値（ＣＤ＋＝６９ｎｍ）及び下限値（ＣＤ−＝６１ｎｍ）を意味し、この値は目標ＣＤから約±６．２％のＣＤ変化マージンに基づいたことである。図１０Ｂは、工程ウィンドウ１０５（ＣＤ工程ウィンドウ）をグラフに示したものであるが、露光及び焦点変化に応じてそれぞれ、高いＣＤ数値及び低いＣＤ数値の曲線１０６、１０７を含む。図８の例示的なパターンについてのこのようなシミュレーションにおいて、最適焦点は０μｍ及び最適露光量２８．３０に決定され、図１０Ｂに示されているように使用できる工程ウィンドウ１０８を得る。工程ウィンドウ１０８は、相対的に広く、これは大きい焦点誤差余裕（焦点深度（ＤＯＦ）が０．２５μｍである。）があることを意味する。工程ウィンドウ１０８は、高さが相対的に低く、これは相対的に狭い露光幅余裕（ＥＬ＝０．７％）があることを意味する。
【００７６】
図１１Ａ及び図１１Ｂは、前述した条件を有する図８のマスクパターンについてのシミュレーション結果を示すが、但し、図８の長棒８１は内部位相移動領域が幅５５ｎｍを有し、光遮断要素が同一な幅である２５ｎｍを有するようにした（反面、前述したシミュレーションのように全体幅は１０５ｎｍに維持した。）。図１１Ａは、０．５３から０．８０まで変化された露光スレッショルド値についての曲線を有するＢｏｓｓｕｎｇグラフ１１００を示す。
【００７７】
線１１０１、１１０２、１１０３は、目標ＣＤ（６５ｎｍ）、上限値（ＣＤ＋＝６９ｎｍ）及び下限値（ＣＤ−＝６１ｎｍ）を意味し、この値は目標ＣＤから約±６．２％のＣＤ変化マージンに基づいたものである。図１１Ｂは、工程ウィンドウ１０５（ＣＤ工程ウィンドウ）をグラフに示したものであるが、露光及び焦点変化に応じて、それぞれ高いＣＤ数値及び低いＣＤ数値の曲線１１０６、１１０７を含む。図８の例示的なパターンについてのこのようなシミュレーションにおいて、最適焦点は０μｍ及び最適露光量は２９．１０に決定され、図１０Ｂに示されているように使用できる工程ウィンドウ１１０８を得る。工程ウィンドウ１１０８は、相対的に広く、これは大きい焦点誤差余裕（焦点深度（ＤＯＦ）＝０．２５μｍである。）があることを意味する。工程ウィンドウ１１０８は、増加された高さを有し（図１０Ｂと比較して）、これは図１０Ｂの場合に比べて増加された露光幅余裕（ＥＬ＝３．４４％）があることを意味する。
【００７８】
図１１Ａ及び図１１ＢのＢｏｓｓｕｎｇ曲線は、図９ＡのＢｏｓｓｕｎｇ曲線に比べて増加されたＣＤ線形度を示す。さらに、図１１ＡのＢｏｓｓｕｎｇ曲線は、図１０Ａの場合に比べて増加されたＣＤ線形度を示す。結局、シミュレーション結果は、非印刷内部位相移動領域を有するようにデザインされたマスクフィーチャーを用いてサブ波長のフィーチャーを精密に印刷することにおいて、増加された工程ウィンドウを得ることができることを意味する。図５Ａ及び図５Ｂに示されている内部位相棒パターンを有する例示的な棒フィーチャーは単に例示的なものであり、本発明の思想は異なる形態及び構造のサブ波長のフィーチャーを印刷するための工程ウィンドウを増加させるために容易に適用できる。
【００７９】
本発明の他の側面で、内部位相移動領域を有するマスクフィーチャーは、テストパターンを製造するために使用され、このテストパターンはフォトリソグラフィ工程の間焦点変化のサイズ及び方向がより効率的に測定できるようにする。そうしてマスクパターンは、露光システムの焦点がＣＤ均一性を示すように調節できるようにする。実際に、以下で説明する本発明の実施形態によって焦点測定と共に露光工程の自動調節が遂行でき、このようにしてフォトレジストが焦点深度範囲内にある投射光学システム最適のイメージ形成平面（すなわち、最適の焦点平面）に合わせられることができる。そうして高解像度及び精度にフォトマスクパターンがフォトレジスト層に転写できる。投射光学システムの最適焦点平面位置から焦点変化のサイズ及び方向を測定する例示的な方法が提供される。
【００８０】
図１２Ａ及び図１２Ｂは、本発明の一実施形態による焦点を測定する方法を概略的に示す。特に、図１２Ａは本発明の一実施形態によるマスク基板１２０１及びマスクテストパターン１２０２を含む例示的なフォトマスク１２００を示す。マスクテストパターン１２０２は、ピッチＰほど離れた二つのテスト構造Ｔ１、Ｔ２を含む。一般に、テスト構造Ｔ１、Ｔ２は、それぞれ内部位相移動領域Ｂ１、Ｂ２を有する長棒要素である。テスト構造は、図５を参照して説明した長棒要素と構造において類似し、図６を参照して説明した方法を使用して製造できる。
【００８１】
テスト構造Ｔ１、Ｔ２は、位相棒Ｂ１、Ｂ２によって行われた位相移動差が１８０度になるようにデザインされる。例えば、第１のテスト構造Ｔ１は、周辺の光透過領域内で透過される光と９０度位相移動された光を透過するようにデザインされた位相棒Ｂ１を有するように形成できる。特に、９０度位相移動を起こせば、トレンチの深さｄ１は、d1*(ηglass-ηair)=(1/4)λによって決定される。第２のテスト構造Ｔ２は、周辺の光透過領域内で透過される光と２７０度位相移動された光を透過するようにデザインされた位相棒Ｂ２を有するように形成できる。特に、２７０度位相移動を起こせば、トレンチの深さｄ２は、d2*(ηglass-ηair)=(3/4)λによって決定される。テスト構造Ｔ１、Ｔ２は、線幅周縁で同一なＣＤを有するように形成され、ここでＣＤはマスクパターンについての一番狭いＣＤと同一なように選択される。１ミクロン又はこれより狭いＣＤについて、ピッチＰはＣＤの約１０倍又はそれ以上になるように選択される。
【００８２】
図１２Ａのマスクパターンは、図１２Ｂに示されている印刷されたテストパターンを有するように光に露光される。特に、図１２Ｂはその上に形成されたフォトレジストパターン１２１１を有する基板１２１０を概略的に示す。フォトレジストパターン１２１１は、図１２ＡにあるそれぞれのマスクテストパターンであるＴ１及びＴ２に対応される印刷されたテストフィーチャーＴ１´、Ｔ２´を含む。印刷されたテストフィーチャーＴ１´は、幅ＣＤ１を有し、印刷されたテストフィーチャーＴ２´は、幅ＣＤ２を有するものと示されている。図１２Ａで、マスクテストフィーチャーＴ１、Ｔ２は、同じＣＤ幅を有するように形成される。本発明の一実施形態によって、容易に焦点変化を測定するため、同一な照明によって形成された印刷されたテストフィーチャーＴ１´、Ｔ２´の幅差（すなわち、ＣＤ２−ＣＤ１）が測定されて分析できる。特に、図１３Ａ〜図１３Ｂを参照して、以下で詳細に説明されるものであるが、幅差（ＣＤ２−ＣＤ１）は、焦点変化のサイズ及び方向を決定するため使用される。そうしてフォトリソグラフィ工程の間焦点調整が行われる。
【００８３】
図１３Ａ〜図１３Ｃは、本発明の一実施形態による焦点測定方法を概略的に示すが、このような方法は焦点変化のサイズ及び方向がフォトリソグラフィ工程の間印刷されたテスト構造の測定されたＣＤ値に基づいて決定できるようにする。特に、図１３Ａ及び図１３Ｂは、図１２Ａに示されているような例示的なマスクテストパターンについて実験及び／又はコンピュータシミュレーションによって誘導された焦点−露光マトリックステストデータをグラフに示す。図１３Ａ及び図１３Ｂは、焦点及び露光エネルギー変化に応じるそれぞれの印刷されたテスト構造Ｔ１´、Ｔ２´（図１２Ｂ）についてのＣＤ（ライン幅）変化を示すＢｏｓｓｕｎｇ図である。焦点−露光マトリックステストデータは数学的モデルを立てることに使用されるが、このモデルは印刷されたテスト構造について測定されたＣＤ値による焦点及び露光変化の間の相関関係を限定し、一時的な（ウェーハ間）変化又はダイ内でウェーハの（スペース的）変化を確認する。図１３Ｃは、図１２Ｂで印刷されたテスト構造Ｔ１´、Ｔ２´についてのＣＤ（ＣＤ２−ＣＤ１）測定値の差による（最適焦点からの）焦点変化のサイズ及び方向を決定する方法をグラフに示す。図１２の例示的なマスクテストパターンは一定した方式にデザインされるが、この方式は、テスト構造Ｔ１、Ｔ２の焦点を通じたＣＤ特性が、対応されるＢｏｓｓｕｎｇ曲線を有し、この曲線が最適焦点位置（例えば、０焦点誤差）を基準として対向する方向に移動されるようにし、実質的に互いに鏡像を有するようにすることである。特に、図１３Ａに示されているように、例示的なテスト構造Ｔ１（９０度）についてのＢｏｓｓｕｎｇ曲線は焦点誤差位置Ｄ＋にその中心が置かれ、最適焦点位置Ｄ（一実施形態で０焦点誤差を有することと仮定する。）の右側に移動される。さらに、図１３Ｂに示されているように、例示的なテスト構造Ｔ２（２７０度）についてのＢｏｓｓｕｎｇ曲線は焦点誤差位置Ｄ−にその中心が置かれ、最適焦点位置Ｄの左側に移動される。また、図１３ＡのＢｏｓｓｕｎｇ曲線は図１３Ｂの鏡像である。言い換えれば、特定露光エネルギーについて、Ｄ＋のサイズはＤ−と同一であり、焦点変化は測定されたＣＤ２の変化と反対される測定されたＣＤ１の変化を惹起する。このような特徴は、一定した関係を示すが、これは特定工程について最適焦点位置（例えば、０焦点誤差）からの±焦点変化に応じてＣＤ変化差（ＣＤ２−ＣＤ１）のサイズが線形的に変化する関係である。
【００８４】
例えば、図１３Ｃは図１３Ａ及び図１３Ｂの四角窓に示されているデータについて焦点誤差（μｍ、ｘ−軸）によるＣＤ（ＣＤ２−ＣＤ１）変化（ｎｍ、ｙ−軸）を示したものである。一実施形態で、０である焦点誤差位置Ｄ（最適焦点）で、ＣＤ差（ＣＤ２−ＣＤ１）＝０は工程の焦点が最適焦点にあることを意味する。点Ｐ１で、ＣＤ２−ＣＤ１の数値が約±２０ｎｍであることは、工程で約−０．１０ミクロン程度の焦点誤差がある状態に焦点変化があることを意味する。反面、点Ｐ２で、ＣＤ２−ＣＤ１の数値が約−２０ｎｍであることは、工程で約＋０．１０ミクロン程度の焦点誤差がある状態に焦点変化があることを意味する。従って、図１３Ｃは焦点変化のサイズ及び方向全てを測定できる方法を示す。
【００８５】
図１２Ａの例示的なマスクテストパターンは、フォトマスク構造に具現されて印刷されたテスト構造を提供するが、このような構造はリソグラフィ製造工程において、印刷されたテスト構造の測定されたＣＤ（ライン幅）の間の相対的な差に基づいて、焦点変化のサイズ及び方向を正確で効率的に決定することに使用できる。フォトマスク構造は、回路レイアウトを有するように製造でき、一つ又はその以上のテストパターン構造が計画によって半導体素子パターン内に相異なる位置に配置できるが、得られた印刷されたテストパターンがＣＤ測定において、容易に発見でき、確認できながらも印刷されたテストパターンを有する半導体素子の性能を阻害しないように配置される。例えば、フォトマスクテスト構造は得られた印刷されたテスト構造がウェーハからチップを分離できるようにする相異なるウェーハダイの間のスクライブライン（又はスペース）内に形成できる。
【００８６】
特定したフォトリソグラフィ工程について、図１３Ａ及び図１３Ｂに示されているような焦点−露光マトリックスデータは、特定工程についての各段階のフォトマスクについて得られることができ、そうして（図１３Ｃにグラフに示されているような）印刷されたテスト構造のＣＤの間の差に基づいた焦点誤差の程度と方向を定量化するモデル又は公式を立てることができる。例えば、フォトマスク製造に先立って、リソグラフィ製造工程を正確にシミュレーションし、リソグラフィ工程変数による（図１２Ａに示されているような）例示的なマスクテストパターンを有する回路レイアウトの行動を予測するためフォトリソグラフィシミュレーション装置が使用できる。例えば、遂行されたレイアウトパターンについて工程変数（例えば、焦点変化）の変化に起因した最小線幅変化をシミュレーションするため、知られた商業用シミュレーション装備を使用してシミュレーションが遂行できる。シミュレーションのため、焦点、露光量及びステッパー設定、レジスト変数及びＣＤに影響を及ぼす異なる変数のようなフォトリソグラフィ装備の設定値がシミュレーション装備に入力されて処理できる。シミュレーション装置は、露光装置の露光量及び焦点変化に応じる最小線幅の変化を計算でき、焦点−露光量データマトリックスを作り出す。
【００８７】
リソグラフィシミュレーション装備は、全体的な焦点及び露光ウィンドウについての包括的なリソグラフィ工程モデルを立てる方法を含む。シミュレーション結果は、テストレチクルを製造することに使用できる。このようなテストレチクルは、実験的にＦＥＭデータを得るため使用できるが、このデータは、シミュレーションデータと共に例えば、焦点変化（図１３Ｃ）を決定するリソグラフィ工程モデル及び公式を修正又は最適化することに使用される。
【００８８】
図１４は、フォトリソグラフィシステム１４００の概略的なダイアグラムであり、本発明の一実施形態による焦点測定システムを含む。一般に、システム１４００は、露光システム１４０１と、フォトレジスト現像システム１４０２と、ＣＤ測定システム１４０３と、焦点測定システム１４０４と、工程変数モデル及びＦＥＭデータ貯蔵所１４０５と、工程変数制御システム１４０６と、を含む。
【００８９】
露光システム１４０１は、フォトマスクによってフォトレジストがコーティングされたウェーハを露光させるための露光装置を含むが、このようなフォトマスクは、本発明の一実施形態によるテスト構造だけではなく、回路レイアウトパターンも含む。露光システム１４０１は、縮小投射露光システム（ステッパー）のような知られたシステムのうちいずれか一つを含むことができるが、ここでマスクパターンは、縮小されたサイズにフォトレジスト上に投射される。最適焦点及び最適露光量のような露光装備の初期工程変数は特定フォトマスクと関連されたＦＥＭデータによって決定される最適の変数に合わせて設定される。露光に次いで、露光されたウェーハは現像システム１４０２に送られるが、ここで露光されたフォトレジストパターンは、後露光ベーク工程を経た後、フォトレジストの露光された（又は露光されない）領域を除去するための化学工程を経る。露光及び現像工程の結果にパターン化されたレジスト層を有するウェーハを得る。
【００９０】
現像工程後に、レジストがパターン化されたウェーハは、ＣＤ測定システム１４０３に送られるが、ここで例えば、印刷されたテスト構造のＣＤが測定される。ＣＤ測定システム１４０３は、ウェーハ分析システムの一部であることができるが、この分析システムは、自動及び／又は受動にウェーハを分析して欠陥を発見するか、或いはパターンの数値を測定するなどの分析を行うことができる。ＣＤ測定装備１４０３は、光学オーバーレイ装備、散乱測定器、走査電子顕微鏡、原子力顕微鏡を含む知られた計測装備を用いて遂行できる。ＣＤ測定システム装備１４０３は、印刷されたテスト構造のＣＤを測定できるが、ライン幅を光学的に直接測定するか、或いはイメージ処理方法を使用して測定でき、このようなイメージ処理方法は、特定フォトマスク及び露光条件と関連された一つ又はその以上の基本イメージを現在の光学イメージと比較することによってＣＤを決定する。
【００９１】
焦点測定システム１４０４は、測定されたＣＤデータを処理して、ウェーハが印刷されるとき焦点変化を測定する。特に、前述したように、リソグラフィ工程の焦点変化のサイズ及び方向は、印刷されたテスト構造の測定されたＣＤ差を決定し、特定印刷されたテスト構造についての当該工程変数の数学的モデルを用いてＣＤ差値を焦点及び露光変化と連関させることによって決定できる。もし測定されたＣＤが変化すれば、焦点測定システム１４０４は、適切な制御信号及び変数を工程変数制御システム１４０６に発生及び出力して露光装備１４０１の工程変数（焦点）を必要に応じて調節するようになる。一実施形態で、測定システム１４０４及び制御システム１４０６の機能は全体的に自動化できる。他の実施形態で、このような機能は半自動化できるが、ここで、例えば焦点測定システム１４０４は、焦点変化に関して作業者に警報音を鳴らし、こうして作業者が工程変化を確認するようにし、その後受動に露光システムの工程変数を調節するようにするか、或いは必要な調節のため工程変数制御システムに適切な命令を提供するようにできる。
【００９２】
ここで、説明した例示的なシステム及び方法は、ハードウェア、ソフトウェア、ファームウェア、特別な目的のプロセッサー又はこれらの多様な組合せ形態で遂行できる。
【００９３】
一実施形態で、例示的な実施形態は一つ又はそれ以上のプログラム貯蔵装置（例えば、ハードディスク、磁気フロッピー（登録商標）ディスク、ＲＡＭ、ＣＤＲＯＭ、ＤＶＤ、ＲＯＭ、フラッシュメモリなど）で具体化され、適切な構造を含むどんな装置又は機器としても実行可能なプログラム命令を含むアプリケーションであるソフトウェア内で遂行できる。添付した図面に示されている例示的なシステムモジュール及び方法の段階は、ソフトウェア内でより好ましく遂行できるため、システム構成要素（又は工程段階の流れ）の間の実際関係は、アプリケーションがプログラムされる方式によって異なる。ここで、説明したところに基づいて、当業者は本発明で遂行されたこと及びこれと類似したこと又は本発明の構成を類推して実施すことができる。
【００９４】
本発明の一実施形態によるマスクテストパターンは、ブライトフィールド、ダークフィールド、又は位相移動マスクと共に使用でき、又は他の発光ソースのためデザインされたレチクルと共に使用でき、そしてポジティブ又はネガティブフォトレジスト、二重層、多重層又は表面イメージングレジストを含むリソグラフィ工程に使用できる。
【００９５】
以上、添付した図面を参照して本発明の好適な実施形態を説明したが、当業者であれば、本発明の技術的思想や必須的な特徴を変更せずに他の具体的な形態で実施されうることを理解することができる。したがって、上述した好適な実施形態は、例示的なものであり、限定的なものではないと理解されるべきである。
【産業上の利用可能性】
【００９６】
本発明の焦点変化を測定するシステム及び方法は、半導体素子の製造工程であるフォトレジスト工程に適用されうる。
【図面の簡単な説明】
【００９７】
【図１Ａ】バイナリーマスク構造を用いる通常的なフォトリソグラフィ工程を概略的に示す図面である。
【図１Ｂ】バイナリーマスク構造を用いる通常的なフォトリソグラフィ工程を概略的に示す図面である。
【図１Ｃ】バイナリーマスク構造を用いる通常的なフォトリソグラフィ工程を概略的に示す図面である。
【図２Ａ】ＥＡＰＳＭを用いる通常的なフォトリソグラフィ工程を概略的に示す図面である。
【図２Ｂ】ＥＡＰＳＭを用いる通常的なフォトリソグラフィ工程を概略的に示す図面である。
【図２Ｃ】ＥＡＰＳＭを用いる通常的なフォトリソグラフィ工程を概略的に示す図面である。
【図３Ａ】ＡＡＰＳＭを用いる通常的なフォトリソグラフィ工程を概略的に示す図面である。
【図３Ｂ】ＡＡＰＳＭを用いる通常的なフォトリソグラフィ工程を概略的に示す図面である。
【図３Ｃ】ＡＡＰＳＭを用いる通常的なフォトリソグラフィ工程を概略的に示す図面である。
【図４Ａ】ライン幅対露光量による焦点の間の変数曲線を含む例示的なＢｏｓｓｕｎｇ図である。
【図４Ｂ】フォトレジストがコーティングされた基板を露光するためレチクルを用いるリソグラフィ投射工程を概略的に示す図面である。
【図５Ａ】本発明の一実施形態によるフォトマスク構造を概略的に示す図面である。
【図５Ｂ】本発明の一実施形態によるフォトマスク構造を概略的に示す図面である。
【図５Ｃ】図５Ａ及び図５Ｂの例示的なフォトマスクを用いてフォトリソグラフィ工程を概略的に示す図面である。
【図６Ａ】本発明の一実施形態によるフォトマスク構造を製造するための方法を概略的に示す図面である。
【図６Ｂ】本発明の一実施形態によるフォトマスク構造を製造するための方法を概略的に示す図面である。
【図６Ｃ】本発明の一実施形態によるフォトマスク構造を製造するための方法を概略的に示す図面である。
【図６Ｄ】本発明の一実施形態によるフォトマスク構造を製造するための方法を概略的に示す図面である。
【図６Ｅ】本発明の一実施形態によるフォトマスク構造を製造するための方法を概略的に示す図面である。
【図６Ｆ】本発明の一実施形態によるフォトマスク構造を製造するための方法を概略的に示す図面である。
【図７】通常的なフォトマスクパターンを示す図面である。
【図８】本発明の一実施形態によるフォトマスクパターンを示す図面である。
【図９Ａ】図７のフォトマスクパターンに遂行されたコンピュータシミュレーションに基づいて得られたリソグラフィ工程ウィンドウをグラフに示したものである。
【図９Ｂ】図７のフォトマスクパターンに遂行されたコンピュータシミュレーションに基づいて得られたリソグラフィ工程ウィンドウをグラフに示したものである。
【図１０Ａ】図８のフォトマスクパターンに遂行されたコンピュータシミュレーションに基づいて得られたリソグラフィ工程ウィンドウをグラフに示す図面である。
【図１０Ｂ】図８のフォトマスクパターンに遂行されたコンピュータシミュレーションに基づいて得られたリソグラフィ工程ウィンドウをグラフに示す図面である。
【図１１Ａ】図８のフォトマスクパターンに遂行されたコンピュータシミュレーションに基づいて得られたリソグラフィ工程ウィンドウをグラフに示す図面である。
【図１１Ｂ】図８のフォトマスクパターンに遂行されたコンピュータシミュレーションに基づいて得られたリソグラフィ工程ウィンドウをグラフに示す図面である。
【図１２Ａ】本発明の一実施形態による焦点変化をモニタリングすることに使用するテストパターンを含むフォトマスク構造を概略的に示す図面である。
【図１２Ｂ】図１２Ａの例示的なフォトマスク構造を用いてレジストがコーティングされたウェーハを露光して得た印刷されたテストパターンを概略的に示す図面である。
【図１３Ａ】測定されたＣＤ及び焦点変化の相関関係を示す工程変数を含む焦点−露光マトリックスをグラフに示す図面である。
【図１３Ｂ】測定されたＣＤ及び焦点変化の相関関係を示す工程変数を含む焦点−露光マトリックスをグラフに示す図面である。
【図１３Ｃ】本発明の一実施形態によって測定されたＣＤに基づいて焦点方向変化を決定することを示す焦点対応図である。
【図１４】本発明の一実施形態による工程変化を測定することに使用する光学ウェーハ分析システムを概略的に示す図面である。
【符号の説明】
【００９８】
１０  バイナリーマスク
１１、２１、３１  マスクパターン
１２、５５、１２０１  マスク基板
１３、２３、３３  電気場曲線
１５、２５、３５  フォトレジスト層
１６、２６、３６  半導体基板
２０  ＥＡＰＳＭ
２１ａ  ラインフィーチャー
２１ｂ  スペースパターン
３０  ＡＡＰＳＭ
４５  レチクル
４７  フォトレジスト層
４８  半導体基板
５０、１２００  フォトマスク
５１  長棒要素
５１´  マスク物質層
５２  第１の光遮断要素
５３  位相棒
５４  第２の光遮断要素
６０  フォトレジスト層
６０ａ  フォトレジストパターン
６１  第２のフォトレジストパターン
７０、８０  フォトマスクパターン
７１  長棒
７２  補助フィーチャー
８１  例示的な棒
１２１１  フォトレジストパターン
Ｅ１、Ｅ２、Ｅ３、Ｅ４、Ｅ５  露光エネルギー
【図１Ａ】
2006303498.tif 000003
【図１Ｂ】
2006303498.tif 000004
【図１Ｃ】
2006303498.tif 000005
【図２Ａ】
2006303498.tif 000006
【図２Ｂ】
2006303498.tif 000007
【図２Ｃ】
2006303498.tif 000008
【図３Ａ】
2006303498.tif 000009
【図３Ｂ】
2006303498.tif 000010
【図３Ｃ】
2006303498.tif 000011
【図４Ａ】
2006303498.tif 000012
【図４Ｂ】
2006303498.tif 000013
【図５Ａ】
2006303498.tif 000014
【図５Ｂ】
2006303498.tif 000015
【図５Ｃ】
2006303498.tif 000016
【図６Ａ】
2006303498.tif 000017
【図６Ｂ】
2006303498.tif 000018
【図６Ｃ】
2006303498.tif 000019
【図６Ｄ】
2006303498.tif 000020
【図６Ｅ】
2006303498.tif 000021
【図６Ｆ】
2006303498.tif 000022
【図７】
2006303498.tif 000023
【図８】
2006303498.tif 000024
【図９Ａ】
2006303498.tif 000025
【図９Ｂ】
2006303498.tif 000026
【図１０Ａ】
2006303498.tif 000027
【図１０Ｂ】
2006303498.tif 000028
【図１１Ａ】
2006303498.tif 000029
【図１１Ｂ】
2006303498.tif 000030
【図１２Ａ】
2006303498.tif 000031
【図１２Ｂ】
2006303498.tif 000032
【図１３Ａ】
2006303498.tif 000033
【図１３Ｂ】
2006303498.tif 000034
【図１３Ｃ】
2006303498.tif 000035
【図１４】
2006303498.tif 000036